(57)【要約】【課題】基準フレーム周波数を超えるフレーム周波数の映像フォーマットの場合にも、使用者が各フレームを一意に識別でき、かつ、フレーム周波数の異なる映像フォーマット同士の対応付けを容易に把握できる表示装置及び表示方法を提供すること。【解決手段】映像フォーマットのフレーム毎に割り当てられたタイムコードは、基準フレーム周波数を超えるフレーム周波数を持つ映像フォーマットの場合に、前記基準フレーム周波数を持つ映像フォーマットで用いられる基準タイムコードの間を補完するサブフレーム識別子が各フレームに付与されており、動画記録再生装置１は、サブフレーム識別子に対して、連続性を視認可能な循環するキャラクタのそれぞれを対応付け、基準タイムコードと共に表示するＴＣ表示部６０を備える。【選択図】図１
2016111701.tif 000002
【特許請求の範囲】
【請求項１】
所定のフレーム周波数を持つ映像フォーマットの時間同期をとるために、当該映像フォーマットのフレーム毎に割り当てられたタイムコードを表示する表示装置であって、
前記タイムコードは、基準フレーム周波数を超えるフレーム周波数を持つ映像フォーマットの場合に、前記基準フレーム周波数を持つ映像フォーマットで用いられる基準タイムコードの間を補完するサブフレーム識別子が各フレームに付与されており、
前記サブフレーム識別子に対して、連続性を視認可能な循環するキャラクタのそれぞれを対応付け、前記基準タイムコードと共に表示する表示部を備える表示装置。
【請求項２】
前記表示部は、略円周上を周回する位置に前記キャラクタを順に表示する請求項１に記載の表示装置。
【請求項３】
前記表示部は、０又は１から所定数までカウントアップを繰り返す数字を前記キャラクタとして表示する請求項１に記載の表示装置。
【請求項４】
前記表示部は、同一種のキャラクタを所定数まで繰り返し増加させて、並べて表示する請求項１に記載の表示装置。
【請求項５】
前記表示部は、前記キャラクタを前記所定数まで繰り返し積み上げて表示する請求項４に記載の表示装置。
【請求項６】
前記表示部は、数字表示用の７セグメントディスプレイである請求項１から請求項５のいずれかに記載の表示装置。
【請求項７】
前記表示部は、前記サブフレーム識別子を表す複数の表示モードを有し、
前記複数の表示モードを選択的に切り替える切替部を備える請求項１から請求項６のいずれかに記載の表示装置。
【請求項８】
映像データを処理するコンピュータが所定のフレーム周波数を持つ映像フォーマットの時間同期をとるために、当該映像フォーマットのフレーム毎に割り当てられたタイムコードを表示する表示方法であって、
前記タイムコードは、基準フレーム周波数を超えるフレーム周波数を持つ映像フォーマットの場合に、前記基準フレーム周波数を持つ映像フォーマットで用いられる基準タイムコードの間を補完するサブフレーム識別子が各フレームに付与されており、
前記サブフレーム識別子に対して、連続性を視認可能な循環するキャラクタのそれぞれを対応付け、前記基準タイムコードに連接して表示する表示方法。
【発明の詳細な説明】
【技術分野】
【０００１】
本発明は、映像フォーマットのフレームに割り当てられるタイムコードの表示装置及び表示方法に関する。
【背景技術】
【０００２】
従来、放送局又は映画製作現場等における映像編集を行う業務では、映像信号のフレーム１枚毎に固有の番号を割り当てたタイムコード（Ｔｉｍｅ  Ｃｏｄｅ、以下ＴＣという。）と呼ばれるインデキシング情報が利用されている。ＴＣは、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ、米国映画テレビ技術者協会）において標準化されている（例えば、非特許文献１〜５参照）。
【０００３】
また、映像フォーマットとして、複数のフレーム周波数が採用されている。
例えば、映画の場合、主に１秒間に２４フレーム（２４  Ｆｒａｍｅ  ｐｅｒ  ｓｅｃｏｎｄ、以下２４ｆｐｓ）での動画撮影及び表示を行っている。また、テレビの場合、ＮＴＳＣフォーマットでは、６０ｆｐｓ又は５９．９４ｆｐｓ、ＰＡＬ及びＳＥＣＡＭでは、５０ｆｐｓ、ＨＤＴＶ（Ｈｉｇｈ−ｄｅｆｉｎｉｔｉｏｎ  ｔｅｌｅｖｉｓｉｏｎ）では、５９．９４ｆｐｓで運用されている。
特に、ＶＴＲやその他映像記録機器では、ＬＴＣ（Ｌｏｎｇｉｔｕｄｉｎａｌ  Ｔｉｍｅ  Ｃｏｄｅ）、ＶＩＴＣ（Ｖｅｒｔｉｃａｌ  Ｉｎｔｅｒｖａｌ  Ｔｉｍｅ  Ｃｏｄｅ）又はＡＴＣ（Ａｎｃｉｌｌａｒｙ  Ｔｉｍｅ  Ｃｏｄｅ）等のＴＣが採用され、映像編集業務等に利用されている。
また、これら映像フォーマットの間でタイムコードを変換、生成する技術が提案されている（例えば、特許文献１，２参照）。
【０００４】
さらに、近年、１２０、１８０、２４０Ｈｚ等の倍速表示ディスプレイや、１２０、２４０Ｈｚ駆動撮像素子が登場している。
また、映像の画素数フォーマットについても、１９２０×１０８０のＨＤＴＶから、３８４０×２１６０の、いわゆる４ｋ２ｋや、７６８０×４３２０の、いわゆる８Ｋと高精細化され、画面も大型化の傾向にある。このため、動画表示時の時間分解能の粗さが目立つようになり、時間分解能を上げるために、６０ｆｐｓを超える高いフレーム周波数の映像フォーマットが望まれている。
【先行技術文献】
【特許文献】
【０００５】
【特許文献１】特許第４４３８８４９号公報
【特許文献２】特許第４１３０３７６号公報
【非特許文献】
【０００６】
【非特許文献１】ＳＭＰＴＥ  １２Ｍ（１９９９）
【非特許文献２】ＳＭＰＴＥ  ＳＴ１２−１（２０１４）
【非特許文献３】ＳＭＰＴＥ  ＳＴ１２−２（２０１４）
【非特許文献４】ＳＭＰＴＥ  ２６２Ｍ
【非特許文献５】ＳＭＰＴＥ  ３０９Ｍ
【発明の概要】
【発明が解決しようとする課題】
【０００７】
ところで、６０ｆｐｓ以下の映像フォーマットの場合、業務用の映像編集、音入れ作業、映像と音声の同期運転、放送送出等において、従来のＴＣフォーマットで運用できていた。
例えば、ＮＴＳＣ又はＨＤＴＶの５２５，１０８０／６０方式においては、１秒間に３０フレーム又は２９．９７フレームの画像を表示し、インタレース方式では、１秒間に６０フレームの映像を、奇数（ｏｄｄ）番号の走査線で構成されるフレームと、偶数（ｅｖｅｎ）番号の走査線で構成されるフレームとで分けてインデキシングして表示している。このとき、ＴＣには、０ｆ  ｏｄｄ／ｅｖｅｎ、１ｆ  ｏｄｄ／ｅｖｅｎ、・・・、２９ｆ  ｏｄｄ／ｅｖｅｎの順で、１秒当たり６０のフレーム番号が割り当てられる。
【０００８】
ところが、１２０ｆｐｓ又は２４０ｆｐｓ等で撮影し表示される映像信号について、既存のＴＣを基準に同期運転したり映像編集したりする場合、ＴＣに対してフレーム数が多いために、各フレームに固有のＴＣが割り当てられない。
【０００９】
そこで、映像フレーム数ｆに対し、例えば０からｆ−１の数字キャラクタをそれぞれＴＣのフレーム番号として割り当てることが考えられる。しかしながら、従来使用されてきたＮＴＳＣフォーマットの標準テレビジョン、走査線数１０８０本の高精細テレビジョン（Ｈｉｇｈ−Ｄｅｆｉｎｉｔｉｏｎ  Ｔｅｌｅｖｉｓｉｏｎ，ＨＤＴＶ）、又は走査線数２１６０本若しくは４３２０本の超高精細テレビジョン（いわゆる４Ｋ若しくは８Ｋと呼ばれる、Ｕｌｔｒａ  Ｈｉｇｈ−Ｄｅｆｉｎｉｔｉｏｎ  Ｔｅｌｅｖｉｓｉｏｎ）は、フレーム周波数３０ｆｐｓ（フィールド周波数６０ｆｉｅｌｄ毎秒の映像を含む）で制作されている。このため、映像編集する際に、フレーム周波数の異なる映像が混在している場合、数字キャラクタ同士を突合すると、映像フレームがずれてしまう。
あるいは、３０ｆｐｓを超える映像フォーマットのＴＣについて、映像編集の際に別途変換する場合、この作業が煩雑であり判別も難しいことから、映像編集作業上の人為的な操作ミスを引き起こす原因となる。また、変換用の装置が必要となり、編集装置が大規模となってしまう。
【００１０】
本発明は、基準フレーム周波数を超えるフレーム周波数の映像フォーマットの場合にも、使用者が各フレームを一意に識別でき、かつ、フレーム周波数の異なる映像フォーマット同士の対応付けを容易に把握できる表示装置及び表示方法を提供することを目的とする。
【課題を解決するための手段】
【００１１】
本発明に係る表示装置は、所定のフレーム周波数を持つ映像フォーマットの時間同期をとるために、当該映像フォーマットのフレーム毎に割り当てられたタイムコードを表示する表示装置であって、前記タイムコードは、基準フレーム周波数を超えるフレーム周波数を持つ映像フォーマットの場合に、前記基準フレーム周波数を持つ映像フォーマットで用いられる基準タイムコードの間を補完するサブフレーム識別子が各フレームに付与されており、前記サブフレーム識別子に対して、連続性を視認可能な循環するキャラクタのそれぞれを対応付け、前記基準タイムコードと共に表示する表示部を備える。
【００１２】
この構成によれば、表示装置は、基準フレーム周波数（例えば、３０ｆｐｓ）と互換性のある基準ＴＣと共にサブフレーム識別子を循環して表現することにより、基準フレーム周波数を超えるフレーム周波数の映像フォーマットの場合にも、瞬時に使用者が各フレームを一意に識別でき、かつ、フレーム周波数の異なる映像フォーマット同士の対応付けを容易に把握できる。
【００１３】
前記表示部は、略円周上を周回する位置に前記キャラクタを順に表示してもよい。
【００１４】
この構成によれば、表示装置が略円周上を周回する位置にキャラクタを順に表示することにより、ユーザは、直感的にサブフレーム識別子の連続性及び循環性を把握できる。また、編集作業等に用いられるコントローラによるフレーム送り又は戻しの操作と連動してキャラクタの表示が周回するので、視認性が向上する。
【００１５】
前記表示部は、０又は１から所定数までカウントアップを繰り返す数字を前記キャラクタとして表示してもよい。
【００１６】
この構成によれば、表示装置が０又は１から所定数までカウントアップを繰り返す数字をキャラクタとして表示することにより、ユーザは、サブフレーム識別子の連続性を容易に把握でき、視認性が向上する。
【００１７】
前記表示部は、同一種のキャラクタを所定数まで繰り返し増加させて、並べて表示してもよい。
【００１８】
この構成によれば、表示装置が同一種のキャラクタを所定数まで繰り返し増加させて、同一線上に並べて表示することにより、ユーザは、サブフレーム識別子の連続性を直感的に把握でき、視認性が向上する。
【００１９】
前記表示部は、前記キャラクタを前記所定数まで繰り返し積み上げて表示してもよい。
【００２０】
この構成によれば、表示装置がキャラクタを所定数まで繰り返し積み上げて表示することにより、ユーザは、サブフレーム識別子の連続性及び基準タイムコード間の位置を直感的に把握でき、視認性が向上する。
【００２１】
前記表示部は、数字表示用の７セグメントディスプレイでもよい。
【００２２】
この構成によれば、表示装置は、基準タイムコードを表示する領域と同様に、サブフレーム識別子を表示する領域にも数字表示用の７セグメントディスプレイを用いることにより、特別な部品を追加することなく容易に、かつ、他の液晶表示デバイス等に比べて速い応答速度でサブフレーム識別子を提示できる。
【００２３】
前記表示部は、前記サブフレーム識別子を表す複数の表示モードを有し、前記表示装置は、前記複数の表示モードを選択的に切り替える切替部を備えてもよい。
【００２４】
この構成によれば、複数の表示モード間の互換性を確保でき、要求に応じて使用者が識別し易い表示方法に切り替えることができる。
【００２５】
本発明に係る表示方法は、映像データを処理するコンピュータが所定のフレーム周波数を持つ映像フォーマットの時間同期をとるために、当該映像フォーマットのフレーム毎に割り当てられたタイムコードを表示する表示方法であって、前記タイムコードは、基準フレーム周波数を超えるフレーム周波数を持つ映像フォーマットの場合に、前記基準フレーム周波数を持つ映像フォーマットで用いられる基準タイムコードの間を補完するサブフレーム識別子が各フレームに付与されており、前記サブフレーム識別子に対して、連続性を視認可能な循環するキャラクタのそれぞれを対応付け、前記基準タイムコードに連接して表示する。
【発明の効果】
【００２６】
本発明によれば、３０ｆｐｓを超えるフレーム周波数の映像フォーマットの場合にも、使用者が各フレームを一意に識別でき、かつ、フレーム周波数の異なる映像フォーマット同士の対応付けを容易に把握できる。
【図面の簡単な説明】
【００２７】
【図１】実施形態に係る動画記録再生装置の構成を示す図である。
【図２】実施形態に係るＴＣの割り当て方法を例示する図である。
【図３】実施形態に係るバイナリデータ配置を例示する図である。
【図４】実施形態に係るＴＣの配置を示す概念図である。
【図５】実施形態に係る映像フォーマット間の対応付けを例示する図である。
【図６】実施形態に係るＴＣの表示例１を示す図である。
【図７】実施形態に係るＴＣの表示例２を示す図である。
【図８】実施形態に係るＴＣの表示例３を示す図である。
【図９】実施形態に係るＴＣの表示例４を示す図である。
【図１０】実施形態に係るＴＣの表示例５を示す図である。
【図１１】実施形態に係るＴＣを用いた映像編集作業の様子を例示する図である。
【発明を実施するための形態】
【００２８】
以下、本発明の実施形態の一例について説明する。
本実施形態では、表示装置の一例として、基準フレーム周波数が３０ｆｐｓの場合に、３０ｆｐｓを超えるフレーム周波数（例えば、１２０ｆｐｓ）の映像を記録及び再生する動画記録再生装置１を説明する。動画記録再生装置１は、所定のフレーム周波数を持つ映像フォーマットの時間同期をとるために、この映像フォーマットのフレーム毎にＴＣを割り当てる。
【００２９】
図１は、本実施形態に係る動画記録再生装置１の構成を示す図である。
動画記録再生装置１は、入力部１０と、ＴＣ信号発生部２０と、記録再生部３０と、伝送部４０と、出力部５０と、ＴＣ表示部６０と、表示切替部７０とを備える。
【００３０】
入力部１０には、撮像された映像又は収録された音声、あるいは別の再生装置から送信された映像又は音声が入力される。
このとき、同期のマスタ機器となるジェネレータから、ＴＣが入力され、ＴＣ信号発生部２０がスレーブ機器として動作してもよい。
【００３１】
ＴＣ信号発生部２０は、例えば、１２０ｆｐｓのＴＣを順に生成し、記録再生部３０へ提供する。
具体的には、３０ｆｐｓを超えるフレーム周波数（例えば、１２０ｆｐｓ）を持つ映像フォーマットの場合に、３０ｆｐｓのフレーム周波数を持つ映像フォーマットで用いられる基準ＴＣ（フレーム番号が０〜２９）の間を補完するサブフレーム識別子が各フレームに付与される。
【００３２】
なお、動画記録再生装置１が複数のフレーム周波数に対応する場合、フレーム周波数を示すフラグが映像と共に入力されてもよいし、切り替えスイッチ等の操作によってユーザにより指定されてもよい。
【００３３】
記録再生部３０は、入力部１０を介して入力された映像又は音声のそれぞれを記録し、再生した信号を、出力部５０を介して外部機器へ出力する。
このとき、記録再生部３０は、入力された映像又は音声にＴＣが割り当てられていなければ、ＴＣ信号発生部２０から受信したＴＣを、映像フレーム及び音声データに対して順に割り当てて記録する。
【００３４】
伝送部４０は、映像信号、音声信号及びＴＣ信号を、それぞれ単独で、又はＨＤ−ＳＤＩインタフェース等により多重化して伝送する。
動画再生時には、記録再生部３０は、映像信号、音声信号及びＴＣ信号を同期させながら、伝送部４０により出力部５０を介して出力する。
【００３５】
また、動画編集装置においては、映像及び音声に割り当てられたＴＣに基づいて、任意のフレームからフレームまでを一意に選別し、カット等の編集が可能である。
さらに、上述のように３０ｆｐｓを超えるフレーム周波数の映像フォーマットに対してＴＣが割り当てられると、フレーム周波数が異なる複数の映像素材を混合編集することができる。
【００３６】
ＴＣ表示部６０は、各フレームに割り当てられたＴＣを表示する。
このとき、ＴＣ表示部６０は、サブフレーム識別子に対して、後述する連続性を視認可能な循環するキャラクタのそれぞれを対応付け、基準ＴＣ（フレーム番号が０〜２９）と共に表示する。なお、ＴＣ表示部６０は、サブフレーム識別子を表す複数の表示モードを有し、表示切替部７０によって設定された表示モードに応じて、表示するキャラクタの種類及び表示方法を決定する。
【００３７】
表示切替部７０は、ＴＣ表示部６０が有する複数の表示モード（例えば、後述の表示方法１、３、５）を、ユーザの指示入力、又は予め設定された規則（例えば、所定時間の経過により初期化）に基づいて、選択的に切り替える。
【００３８】
ここで、ＴＣ信号発生部２０における、サブフレーム識別子を含むＴＣの生成方法について詳述する。
例えば、３０Ｐ（３０ｆｐｓ、プログレッシブ）のような３０ｆｐｓの映像フォーマットの場合、１秒当たり０ｆ（Ｆｒａｍｅ）〜２９ｆの３０フレーム分のＴＣが割り当てられる。また、６０ｉ（インタレース）又は６０Ｐ（プログレッシブ）のような６０ｆｐｓの映像フォーマットの場合、１秒当たり０ｆ−Ｏｄｄ、０ｆ−Ｅｖｅｎ、１ｆ−Ｏｄｄ、１ｆ−Ｅｖｅｎ、・・・、２９ｆ−Ｏｄｄ、２９ｆ−Ｅｖｅｎのように、３０枚のメインフレームのそれぞれに対して２枚のサブフレーム（Ｏｄｄ／Ｅｖｅｎ）があるものとして、合計で６０フレーム分のＴＣが割り当てられる。
【００３９】
６０ｆｐｓを超えるフレーム周波数を持つ映像フォーマットの場合に、６０ｆｐｓ以下のフレーム周波数（例えば、６０ｆｐｓ）を持つ映像フォーマットで用いられるＴＣの間を補完するサブフレーム識別子が付与される。これにより、６０ｆｐｓ以下のフレーム周波数を持つ映像フォーマットで用いられるＴＣとの互換性を保ち、かつ、各フレーム（サブフレーム）が一意に識別される。
【００４０】
図２は、本実施形態に係るＴＣの割り当て方法を例示する図である。
この例では、１２０ｆｐｓで撮像され表示される動画の場合に、各フレームに対して同期運転や記録のためにＴＣを割り当てる方法を示している。
【００４１】
１２０ｆｐｓの映像フォーマットの場合に、１秒間に相当する１２０枚のフレームは、まず、００から２９までのフレーム番号にグループ化される。そして、０から２９までのフレーム番号それぞれに対して、６０ｆｐｓの場合の２つのサブフレーム識別子（Ｏｄｄ／Ｅｖｅｎ）を含む４つのサブフレーム識別子（Ｏｄｄ／Ｑｕａｔｅｒ／Ｅｖｅｎ／Ｔｈｒｅｅ−Ｑｕａｒｔｅｒｓ）が順に付与される。これにより、１秒当たり１２０フレームの全てに固有のＴＣが割り当てられる。
【００４２】
また、これら４つのサブフレーム識別子（Ｏｄｄ／Ｑｕａｔｅｒ／Ｅｖｅｎ／Ｔｈｒｅｅ−Ｑｕａｒｔｅｒｓ）は、バイナリ（デジタル）データで表現される場合、２ビットに符号化されてコンピュータ処理される。
このとき、２ビットの一方、例えば上位ビットは、６０ｆｐｓの場合の１ビットと共通である。具体的には、４つのサブフレーム識別子を表現する符号は、順に、００、０１、１１、１０とされる。これにより、１２０ｆｐｓの映像フォーマットに割り当てられたＴＣの半数が、６０ｆｐｓの場合のＯｄｄ（符号：０）及びＥｖｅｎ（符号：１）と共通化されるので、互換性が保たれる。
【００４３】
ＳＤＩ伝送フォーマットで送信されるデジタルビデオストリームの補助領域（アンセラリデータ）に重畳するＴＣ、例えば、コードワード長が８０ビットで構成されるＬＴＣ、又は９０ビットで構成されるＶＩＴＣ等について、上述の符号化が適用可能である。さらに、例えば、ＭＸＦ（Ｍａｔｅｒｉａｌ  Ｅｘｃｈａｎｇｅ  Ｆｏｒｍａｔ）ファイルにラップされ、ＫＬＶ（Ｋｅｙ  Ｌｅｎｇｔｈ  Ｖａｌｕｅ）構造を持つメタデータの中に付与されたＴＣについても同様である。
【００４４】
図３は、本実施形態に係るバイナリデータ配置を例示する図である。
この例は、ＳＭＰＴＥ  １２Ｍ規格における１１２５／６０テレビフォーマットのＶＩＴＣを表現するためのバイナリデータ配置である。
これは、ＳＭＰＴＥ  ＳＴ１２−１（２０１４）規格におけるＴａｂｌｅ１１で示されるＶＩＴＣコードワードビット定義表の映像フレーム周波数フォーマット３０フレーム／秒、６０フィールド／秒、６０フレーム／秒の場合のバイナリデータ配置に置き換えてもよい。
【００４５】
サブフレーム識別子は、任意のビット割り当てが可能なバイナリグループのうち、Ｏｄｄ／Ｅｖｅｎを表現するためのビット（３５ビット目の「フィールド表示マーク」）が「Ｏｄｄ：０、Ｅｖｅｎ：１」で表現される場合、空いている未使用のビット、例えば、未割当ビット（１５ビット目）に符号を付加して、計２ビットで表現される。空きのビットは、他にも例えば、バイナリーグループフラグ０（５５ビット目）、あるいはバイナリーグループフラグ１（７４ビット目）、あるいはバイナリーグループフラグ２（７５ビット目）を使用してもよい。
これにより、「Ｏｄｄ：００、Ｑｕａｒｔｅｒ：０１、Ｅｖｅｎ：１１、Ｔｈｒｅｅ−Ｑｕａｒｔｅｒｓ：１０」と表現される。
【００４６】
これにより、１２０ｆｐｓフォーマットの動画と、３０Ｐ、６０ｉ、６０Ｐ動画との混合編集を行う際に、ビットの互換性が保たれる。
また、Ｏｄｄ及びＥｖｅｎについて、２ビット目を１ビット目に揃えることにより、両者のユークリッド距離を最大、すなわち全てのビットを反転した関係にする。これにより、例えば、これらの符号を、ランダムノイズを含む有線又は無線で伝送した場合に、符号誤りが起こり難く、正確に伝送される。
【００４７】
さらに、Ｑｕａｒｔｅｒを「０１」とすることで「Ｏｄｄ：００」に隣接した表記となり、また、Ｔｈｒｅｅ−Ｑｕａｒｔｅｒｓを「１０」とすることで、「Ｅｖｅｎ：１１」に隣接した表記となる。これらＱｕａｒｔｅｒ及びＴｈｒｅｅ−Ｑｕａｒｔｅｒｓの符号のユークリッド距離が最大となることで、Ｏｄｄ及びＥｖｅｎの場合と同様に、符号誤りが起こり難くなる。
【００４８】
図４は、本実施形態に係る１２０ｆｐｓの映像フォーマットにおけるＴＣの配置を示す概念図である。
【００４９】
１２０ｆｐｓにおけるＴＣは、円周上で、３０ｆｐｓのフレーム情報に対して位相を９０度ずつずらした等間隔の配置として表現できる。具体的には、ｘｆ−Ｏｄｄは０度、ｘｆ−Ｑｕａｒｔｅｒは９０度、ｘｆ−Ｅｖｅｎは１８０度、ｘｆ−Ｔｈｒｅｅ−Ｑｕａｒｔｅｒｓは２７０度に配置される。
【００５０】
そして、ＯｄｄとＥｖｅｎとが対向し、ＱｕａｒｔｅｒとＴｈｒｅｅ−Ｑｕａｒｔｅｒｓとが対向しているので、それぞれの組み合わせのユークリッド距離が最大となるように、サブフレームＯｄｄ／Ｑｕａｒｔｅｒ／Ｅｖｅｎ／Ｔｈｒｅｅ−Ｑｕａｒｔｅｒｓは、それぞれ、００／０１／１１／１０と符号化される。
【００５１】
次に、１２０ｆｐｓ以外のフレーム周波数の場合について説明する。
３０×２ｎｆｐｓ（ｎは２以上の整数）の映像フォーマットの場合、０から２９までのフレーム番号それぞれに対して、３０×２ｎ−１ｆｐｓの場合のサブフレーム識別子を含む２ｎ個のサブフレーム識別子を付与する。
この場合、サブフレーム識別子は、ｎビットの符号で表現される。上述の１２０ｆｐｓの場合と同様に、これらのビットは、任意のバイナリグループビット（図２）に割り当て可能である。
【００５２】
また、この場合、サブフレーム識別子を示すｎビットの符号のうち、上位ビットを３０×２ｎ−１ｆｐｓの場合のｎ−１ビットと共通にする。例えば、２４０ｆｐｓの場合、１２０ｆｐｓで使用される２ビットとの互換性を保ちつつ、３ビット目が割り当てられる。
このとき、２ｎ個のサブフレーム識別子を順に円周上に等間隔で配置した場合に対向するサブフレーム識別子同士を、ユークリッド距離が最大となるように符号化する。
【００５３】
３０×ｍｆｐｓ（ｍは３以上の整数）の映像フォーマットの場合、０から２９までのフレーム番号それぞれに対して、ｍ個のサブフレーム識別子を付与する。
この場合、サブフレーム識別子は、
３０×ｍｆｐｓ≦３０×２ｎｆｐｓ（ｎは整数）
の関係が成り立つ最小のｎビットの符号で表現される。例えば、１８０（＝３０×６）ｆｐｓの場合、
３０×２２≦１８０≦３０×２３
の関係が成り立つので、３ビットで符号化される。
【００５４】
２４×ｍｆｐｓ（ｍは３以上の整数）の映像フォーマットの場合、０から２３までのフレーム番号それぞれに対して、ｍ個のサブフレーム識別子を付与する。
この場合、サブフレーム識別子は、
２４×ｍｆｐｓ≦２４×２ｎｆｐｓ（ｎは整数）
の関係が成り立つ最小のｎビットの符号で表現される。例えば、２４０（＝２４×１０）ｆｐｓの場合、
２４×２３≦２４０≦２４×２４
の関係が成り立つので、４ビットで符号化される。
【００５５】
なお、従来のテレビ映像フォーマットにおけるＮＤＦ（Ｎｏ  Ｄｒｏｐ  Ｆｒａｍｅ）モードの３０ｆｐｓ、及びＤＦ（Ｄｒｏｐ  Ｆｒａｍｅ）モードの２９．９７ｆｐｓと同様に、１２０ｆｐｓの映像フォーマットの場合も、ＮＤＦモード（１２０ｆｐｓ）及びＤＦモード（例えば、１１９．８８ｆｐｓ）の各モードが考えられる。この場合にも、互換性が保たれているので、３０ｆｐｓ又は６０ｆｐｓの場合と同様に、１０分毎の００、１０、２０、３０、４０、５０分を除く毎分の０ｆ及び１ｆの２フレーム分を落とす方法により、ＴＣが割り当てられる。
【００５６】
図５は、本実施形態に係る異なるフレーム周波数の映像フォーマット間の対応付けを例示する図である。
この例は、１２０ｆｐｓのＴＣと６０ｆｐｓ（例えば、６０ｉ、６０Ｐ）のＴＣとの対応付けを示している。
【００５７】
上述のように、１２０ｆｐｓの映像には、１秒間のうち、０フレーム（ｆ）から２９フレームに、それぞれＯｄｄ／Ｑｕａｒｔｅｒ／Ｅｖｅｎ／Ｔｈｒｅｅ−Ｑｕａｒｔｅｒｓの４つのサブフレーム識別子が付与されたＴＣが割り当てられる。また、６０ｆｐｓの映像には、１秒間のうち、０フレーム（ｆ）から２９フレームに、それぞれＯｄｄ／Ｅｖｅｎの２つのサブフレーム識別子が付与されたＴＣが割り当てられる。
【００５８】
このとき、１２０ｆｐｓの映像フレームのうち、先頭のサブフレーム（Ｏｄｄ）と、１つ飛んだ３番目のサブフレーム（Ｅｖｅｎ）を選択することで、６０ｆｐｓの場合のＴＣと同様に扱うことができる。すなわち、Ｏｄｄ及びＥｖｅｎのサブフレームのみを選択することにより、１２０ｆｐｓの映像と６０ｆｐｓの映像とが対応付けられ、同一のフレーム番号及びサブフレーム識別子によりカット編集が可能となる。
【００５９】
このとき、１２０ｆｐｓの映像については、１つ飛びのフレームを使用するため、６０ｆｐｓの映像と同様の時間解像度の映像データが得られる。したがって、混合編集後に、６０ｆｐｓの映像データが容易に得られる。つまり、複数のフレーム周波数の間でＴＣに互換性があり、編集によって時間方向の解像度が劣化しない。
【００６０】
なお、３０ｆｐｓ（例えば、３０Ｐ）の場合は、Ｏｄｄのみを使用することにより、同様に６０ｆｐｓ又は１２０ｆｐｓと互換性が保たれ、編集により時間方向の解像度は劣化しない。
【００６１】
次に、ＴＣ表示部６０による表示モード毎のＴＣの表示方法について詳述する。
ＴＣ表示部６０は、３０ｆｐｓと互換性のあるフレーム番号（０〜２９）に加え、循環するサブフレーム識別子（Ｏｄｄ／Ｑｕａｒｔｅｒ／Ｅｖｅｎ／Ｔｈｒｅｅ−Ｑｕａｒｔｅｒｓ）を瞬時に判別できる表示用キャラクタを各フレームに対応付ける。
【００６２】
例えば、１２０ｆｐｓの映像に対して、以下に示す＜表示例１＞から＜表示例５＞の表示方式が採用される。
【００６３】
＜表示例１＞
ＴＣ表示部６０は、略円周上を左回り（反時計回り）に周回する位置にキャラクタを順に表示する。
【００６４】
図６は、本実施形態に係るＴＣの表示例１を示す図である。
例えば、サブフレーム識別子の表示領域（例えば、数字表示用の７セグメントディスプレイ）において、外周上に、順次点灯させるセグメントが設定される。ＴＣ表示部６０は、各サブフレームに対応するセグメントの組（右側バー、上側バー、左側バー、下側バー）を順に循環して点灯させる。
【００６５】
具体的には、１２０ｆｐｓの映像フォーマットの場合に、ＴＣ表示部６０は、
（１）Ｏｄｄに対して右側バーを点灯させ、最初のサブフレームであることを提示する。
（２）Ｑｕａｒｔｅｒに対して上側バーを点灯させ、２番目のサブフレームであることを提示する。
（３）Ｅｖｅｎに対して左側バーを点灯させ、３番目のサブフレームであることを提示する。
（４）Ｔｈｒｅｅ−Ｑｕａｒｔｅｒｓに対して下側バーを点灯させ、４番目のサブフレームであることを提示する。
【００６６】
映像が再生される際には、これらの循環するキャラクタ（バー）が順次表示される。また、映像を停止した際には、映像フレームに割り当てられているサブフレーム識別子に対応したキャラクタが表示されることにより、ユーザは、静止表示されている映像がいずれのサブフレームに相当するかを一見して認識できる。
【００６７】
＜表示例２＞
ＴＣ表示部６０は、略円周上を右回り（時計回り）に周回する位置にキャラクタを順に表示する。
【００６８】
図７は、本実施形態に係るＴＣの表示例２を示す図である。
例えば、サブフレーム識別子の表示領域において、円周上に、順次表示させる尖頭状のキャラクタが設定される。ＴＣ表示部６０は、各サブフレームに対応する向きのキャラクタを順に循環して表示させる。
【００６９】
具体的には、１２０ｆｐｓの映像フォーマットの場合に、ＴＣ表示部６０は、
（１）Ｏｄｄに対して尖頭状のキャラクタを上向きに表示させ、最初のサブフレームであることを提示する。
（２）Ｑｕａｒｔｅｒに対して尖頭状のキャラクタを右向きに表示させ、２番目のサブフレームであることを提示する。
（３）Ｅｖｅｎに対して尖頭状のキャラクタを下向きに表示させ、３番目のサブフレームであることを提示する。
（４）Ｔｈｒｅｅ−Ｑｕａｒｔｅｒｓに対して尖頭状のキャラクタを左向きに表示させ、４番目のサブフレームであることを提示する。
【００７０】
なお、表示例１又は表示例２において、循環して表示されるキャラクタの順番は、時計回りでも反時計回りでもよいし、いずれの表示位置から開始されてもよい。また、キャラクタは、棒状、尖頭状、円弧状等、映像を再生した際に、循環して特定のフレームを視認しやすく提示できれば、形状は限定されない。
【００７１】
＜表示例３＞
ＴＣ表示部６０は、０又は１から所定数までカウントアップを繰り返す数字をキャラクタとして表示する。
【００７２】
図８は、本実施形態に係るＴＣの表示例３を示す図である。
ＴＣ表示部６０は、例えば、サブフレーム識別子の表示領域（例えば、数字表示用の７セグメントディスプレイ）において、基準ＴＣ（時間情報及びフレーム番号）と同様の数字をカウントアップさせて順次表示する。
【００７３】
具体的には、１２０ｆｐｓの映像フォーマットの場合に、ＴＣ表示部６０は、
（１）Ｏｄｄに対して数字「０」（又は「１」）を表示させ、最初のサブフレームであることを提示する。
（２）Ｑｕａｒｔｅｒに対して数字「１」（又は「２」）を表示させ、２番目のサブフレームであることを提示する。
（３）Ｅｖｅｎに対して数字「２」（又は「３」）を表示させ、３番目のサブフレームであることを提示する。
（４）Ｔｈｒｅｅ−Ｑｕａｒｔｅｒｓに対して数字「３」（又は「４」）を表示させ、４番目のサブフレームであることを提示する。
【００７４】
＜表示例４＞
ＴＣ表示部６０は、同一種（同一又は類似）のキャラクタを所定数まで繰り返し増加させて、同一線（直線又は曲線）上に並べて表示する。
【００７５】
図９は、本実施形態に係るＴＣの表示例４を示す図である。
ＴＣ表示部６０は、例えば、サブフレーム識別子の表示領域において、ドットのキャラクタ数を順次増加して表示する。
【００７６】
具体的には、１２０ｆｐｓの映像フォーマットの場合に、ＴＣ表示部６０は、
（１）Ｏｄｄに対して１つのドットを表示させ、最初のサブフレームであることを提示する。
（２）Ｑｕａｒｔｅｒに対して２つのドットを表示させ、２番目のサブフレームであることを提示する。
（３）Ｅｖｅｎに対して３つのドットを表示させ、３番目のサブフレームであることを提示する。
（４）Ｔｈｒｅｅ−Ｑｕａｒｔｅｒｓに対して４つのドットを表示させ、４番目のサブフレームであることを提示する。
【００７７】
なお、キャラクタの数は、無し（０個）から開始されてもよい。また、キャラクタの形状はドットに限られず、ＴＣ表示部６０は、例えば、棒状の線を増加させる、又は同心円を小さいものから大きいものへ増加させる等、カウントアップを想起させるキャラクタを表示してもよい。
【００７８】
＜表示例５＞
ＴＣ表示部６０は、横向きのバーをキャラクタとして、所定数まで繰り返し積み上げて表示する。
【００７９】
図１０は、本実施形態に係るＴＣの表示例５を示す図である。
ＴＣ表示部６０は、例えば、サブフレーム識別子の表示領域（例えば、数字表示用の７セグメントディスプレイ）において、サブフレーム数に応じて横向きのバー（下段、中段、上段）を順次垂直に積み上げて表示する。
【００８０】
具体的には、１２０ｆｐｓの映像フォーマットの場合に、ＴＣ表示部６０は、
（１）Ｏｄｄに対していずれのバーも点灯させず、最初のサブフレームであることを提示する。
（２）Ｑｕａｒｔｅｒに対して下段のバーを点灯させ、２番目のサブフレームであることを提示する。
（３）Ｅｖｅｎに対して下段及び中段の２つのバーを点灯させ、３番目のサブフレームであることを提示する。
（４）Ｔｈｒｅｅ−Ｑｕａｒｔｅｒｓに対して下段、中段及び上段の３つのバーを点灯させ、４番目のサブフレームであることを提示する。
ここで、ＴＣ表示部６０は、（１）の無点灯と（２）〜（４）の点灯とを視認性良く区別させるため、サブフレーム識別子の表示領域又はこの近傍に目印（例えば、ドット）を表示してもよい。
【００８１】
なお、フレーム周波数が基準フレーム周波数の４倍ではなく、３倍の場合には、例えば点灯無し又は下段のみの点灯から始まり３段階の積み上げ表示としてもよいし、２倍の場合には、例えば点灯無し又は下段のみの点灯と上段又は中段まで積み上げた点灯との２段階の表示としてもよい。また、フレーム周波数が基準フレーム周波数の４倍を超える場合、７セグメントディスプレイ以外の専用デバイス（例えば、４本以上の横向きバーを含むＬＥＤディスプレイ）が用いられてもよい。
【００８２】
図１１は、本実施形態に係るＴＣを用いた映像編集作業の様子を例示する図である。
ユーザは、映像編集装置（動画記録再生装置１）を用いて映像編集を行う際に、映像の編集点（カット点）を探す場合、映像フレームの１フレーム（又はサブフレーム）ずつ、ダイヤル形状のジョグコントローラを反時計回りに回して戻す、あるいは時計回りに回して送り、編集点の映像フレーム位置を探る。
【００８３】
例えば、１フレームを送った際、１０ｈ１０ｍ１０ｓ１５ｆ（フレーム）Ｏｄｄサブフレームだった映像位置は、１０ｈ１０ｍ１０ｓ１５ｆ（フレーム）Ｑｕａｒｔｅｒサブフレーム映像位置に変わる。このとき、例えば表示例２（図７）の表示方法を適用した場合、サブフレームを示す尖頭が上向きから右向きに変わる。
【００８４】
ユーザは、フレームの送り又は戻しを、ジョグコントロ−ラを回転させながら行うため、尖頭の向きは、このジョグコントロ−ラの動きに連動して、時計回り又は反時計回りに回転するように表示される。このため、ユーザがサブフレームを送り戻しした際に、映像フレームの動きが分かりやすく表示され、映像フレームを容易に直感的に探すことができる。
【００８５】
以上のように、本実施形態によれば、基準フレーム周波数（例えば、３０ｆｐｓ）よりも大きい、例えば、１２０ｆｐｓの高フレーム周波数の映像素材に対し、映像編集等の作業を行うためのＴＣがフレーム単位で割り当てられるので、フレーム精度での編集及びインデキシングが可能となる。これにより、基準フレーム周波数を超える高フレーム周波数の映像素材を、容易に精度良く編集することができる。
さらに、動画記録再生装置１は、基準フレーム周波数（例えば、３０ｆｐｓ）と互換性のある基準ＴＣと共にサブフレーム識別子を循環して表現することにより、基準フレーム周波数を超えるフレーム周波数の映像フォーマットの場合にも、瞬時に使用者が各フレームを一意に識別でき、かつ、フレーム周波数の異なる映像フォーマット同士の対応付けを容易に把握できる。
【００８６】
動画記録再生装置１が略円周上を周回する位置にキャラクタを順に表示することにより、ユーザは、直感的にサブフレーム識別子の連続性及び循環性を把握できる。また、編集作業等に用いられるコントローラによるフレーム送り又は戻しの操作と連動してキャラクタの表示が周回するので、視認性が向上する。
【００８７】
動画記録再生装置１が０又は１から所定数までカウントアップを繰り返す数字をキャラクタとして表示することにより、ユーザは、サブフレーム識別子の連続性を容易に把握でき、視認性が向上する。
【００８８】
動画記録再生装置１が同一種のキャラクタを所定数まで繰り返し増加させて、同一線上に並べて表示することにより、ユーザは、サブフレーム識別子の連続性を直感的に把握でき、視認性が向上する。
【００８９】
動画記録再生装置１がキャラクタを所定数まで繰り返し積み上げて表示することにより、ユーザは、サブフレーム識別子の連続性及び基準タイムコード間の位置を直感的に把握でき、視認性が向上する。
【００９０】
動画記録再生装置１は、基準タイムコードを表示する領域と同様に、サブフレーム識別子を表示する領域にも数字表示用の７セグメントディスプレイを用いることにより、特別な部品を追加することなく容易にサブフレーム識別子を提示することができる。
ここで、フレーム周波数が高くなるほど表示デバイスの高い応答速度が要求されるため、性能の低い安価な表示デバイスでは高いフレーム周波数に対応可能な応答速度が満たさない場合があり、この場合には、サブフレーム識別子の判別が難しくなる。ＴＣ表示部６０に、例えば７つの小型Ｌｉｇｈｔ−Ｅｍｉｔｔｉｎｇ  Ｄｉｏｄｅ（ＬＥＤ）素子で構成されるような、７セグメントディスプレイが用いられることにより、動画記録再生装置１は、他の液晶表示デバイス等に比べて速い応答速度でサブフレーム識別子を提示できる。
【００９１】
さらに、動画記録再生装置１は、複数の表示モードに共通の表示デバイス（７セグメントディスプレイ）を用いると、これら複数の表示モード間の互換性を確保でき、要求に応じて使用者が識別し易い表示方法に切り替えることができる。
【００９２】
また、３０ｆｐｓを超える映像フォーマットのＴＣは、従来の３０ｆｐｓの映像フォーマットのＴＣと互換性があるので、３０ｆｐｓを超える映像をダウンコンバートした後も容易にこの映像素材を取り扱うことができる。
【００９３】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００９４】
本発明は、前述の１２０ｆｐｓの映像フォーマットに限らず、３０ｆｐｓの整数倍となる例えば、６０ｆｐｓ，９０ｆｐｓ，１２０ｆｐｓ，２４０ｆｐｓや、２４ｆｐｓの整数倍となる例えば４８ｆｐｓ，７２ｆｐｓ，９６ｆｐｓや、２５ｆｐｓの整数倍となる例えば５０ｆｐｓ，７５ｆｐｓ，１００ｆｐｓ，１２５ｆｐｓ，１５０ｆｐｓに代表される映像フォーマット等にも適用できる。また、これらのＮＤＦ（Ｎｏｎ  Ｄｒｏｐ  Ｆｒａｍｅ）モードに限らず、ＤＦ（Ｄｒｏｐ  Ｆｒａｍｅ）モードにおけるフレーム周波数の映像フォーマットにおいても、本発明が適用できる。
なお、基準フレーム周波数が１２０ｆｐｓ等、２桁を超える場合には、前述の表示例におけるフレーム番号が３桁以上に拡張されてもよい。
【００９５】
本実施形態の表示装置は、前述の動画記録再生装置１の他、ＴＣを発生させるＴＣ信号発生装置、ＴＣを読み取る読み取り装置、映像を編集する編集装置、及び映像を送出する送出装置等として実装され得る。
【００９６】
前述のＴＣの割り当て方法、及び表示方法は、ソフトウェアにより実現される。ソフトウェアによって実現される場合には、このソフトウェアを構成するプログラムが、コンピュータにインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【符号の説明】
【００９７】
１  動画記録再生装置（表示装置）
１０  入力部
２０  ＴＣ信号発生部
３０  記録再生部
４０  伝送部
５０  出力部
６０  ＴＣ表示部（表示部）
７０  表示切替部（切替部）
【図１】
2016111701.tif 000003
【図２】
2016111701.tif 000004
【図３】
2016111701.tif 000005
【図４】
2016111701.tif 000006
【図５】
2016111701.tif 000007
【図６】
2016111701.tif 000008
【図７】
2016111701.tif 000009
【図８】
2016111701.tif 000010
【図９】
2016111701.tif 000011
【図１０】
2016111701.tif 000012
【図１１】
2016111701.tif 000013